(57)【要約】 【課題】  簡単な構造で、投入硬貨を５００円硬貨とそれ以外の硬貨とに分別して貯金することができる【解決手段】  区画壁２により大径硬貨収容室２１と小径硬貨収容室２２とに区画された貯金箱本体１３と、筒状の硬貨案内体３とを備え、該案内体３は、幅が５００円硬貨の直径よりも大きく、高さが５００円硬貨の厚さよりも大きい断面を有する大径硬貨通路空間３１と、該大径硬貨通路空間３１の底面に連接してその下方に形成された、幅が５００円硬貨の直径よりも小さく１０円硬貨の直径よりも大きい断面を有する溝状の小径硬貨通路空間３２とを有し、硬貨投入口３０１を上方に、硬貨排出口３０２を下方に位置させ全体を斜めにして配設され、前記硬貨排出口３０２のうち、大径硬貨通路空間３１に対応する大径硬貨排出口３１２は大径硬貨収容室２１に、小径硬貨通路空間３２に対応する小径硬貨排出口３２２は小径硬貨収容室２２に位置している。【選択図】          図２
0003109488.tif 000002
【実用新案登録請求の範囲】
【請求項１】
５００円硬貨と１００円硬貨、５０円硬貨、１０円硬貨、５円硬貨および１円硬貨とを分別して貯える貯金箱であって、
貯金箱本体と、
幅Ｗｂが５００円硬貨の直径よりも大きく、高さＨｂが５００円硬貨の厚さよりも大きい断面を有する大径硬貨通路空間と、該大径硬貨通路空間の底面に連接して該大径硬貨通路空間の下方に形成された、幅Ｗｓが５００円硬貨の直径よりも小さく１０円硬貨の直径よりも大きい断面を有する溝状の小径硬貨通路空間とを有し、一端側に開口する硬貨投入口を上方に、他端側に開口する硬貨排出口を下方に位置させて全体を斜めにし、前記硬貨投入口を前記貯金箱本体の外側に位置させ、前記硬貨排出口を前記貯金箱本体の内部に位置させて前記貯金箱本体に取り付けられた筒状の硬貨案内体と、
前記貯金箱本体を大径硬貨収容室と小径硬貨収容室とに区画する区画壁とを備え、
前記硬貨排出口のうち、前記大径硬貨通路空間に対応する大径硬貨排出口は前記大径硬貨収容室に位置し、前記小径硬貨通路空間に対応する小径硬貨排出口は前記小径硬貨収容室に位置していることを特徴とする貯金箱。
【請求項２】
前記小径硬貨通路空間が、前記大径硬貨通路空間の幅方向両端からそれぞれ所定長Ｌだけ内側に入った位置に形成されていることを特徴とする請求項１記載の貯金箱。
【請求項３】
前記所定長Ｌが１円硬貨の半径の１／２より小さく、前記所定長Ｌと前記小径硬貨通路空間の幅Ｗｓとの和が５００円硬貨の直径より小さいことを特徴とする請求項２記載の貯金箱。
【請求項４】
前記硬貨案内体のうち前記大径硬貨通路空間を形成する大径硬貨通路空間形成部の方が前記小径硬貨通路空間を形成する小径硬貨通路空間形成部よりも前記貯金箱本体内により長く延びており、
前記区画壁が前記貯金箱本体の内部の上方に前記小径硬貨収容室を、下方に前記大径硬貨収容室を区画して形成するものであり、
前記大径硬貨通路空間形成部に形成された前記大径硬貨排出口が前記大径硬貨収容室に位置し、
前記小径硬貨通路空間形成部に形成された前記小径硬貨排出口が前記小径硬貨収容室に位置し、
該小径硬貨収容室には開閉可能な硬貨取出口が形成されていることを特徴とする請求項３記載の貯金箱。
【請求項５】
５００円硬貨と１００円硬貨、５０円硬貨、１０円硬貨、５円硬貨および１円硬貨とを分別して貯える貯金箱であって、
貯金箱本体と、
幅Ｗｂが５００円硬貨の直径よりも大きく、高さＨｂが５００円硬貨の厚さよりも大きい断面を有する大径硬貨通路空間を有し、底壁の幅方向両端からそれぞれ所定長Ｌだけ内側に入った領域に幅Ｗｏが５００円硬貨の直径よりも小さく１０円硬貨の直径よりも大きい長手方向に所定長延びた小径硬貨落下開口が形成され、一端側に開口する硬貨投入口を上方に、他端側に開口する硬貨排出口を下方に位置させて全体を斜めにし、前記硬貨投入口を前記貯金箱本体の外側に位置させ、前記硬貨排出口を前記貯金箱本体の内部に位置させて該貯金箱本体に取り付けられた筒状の硬貨案内体と、
前記貯金箱本体内を下方の大径硬貨収容室と上方の小径硬貨収容室とに区画する区画壁とを備え、
前記硬貨排出口は前記大径硬貨収容室に位置し、前記小径硬貨落下開口は前記小径硬貨収容室に位置していることを特徴とする貯金箱。
【請求項６】
前記所定長Ｌが１円硬貨の半径の１／２より小さく、前記所定長Ｌと前記小径硬貨落下開口の幅Ｗｏとの和が５００円硬貨の直径より小さいことを特徴とする請求項５記載の貯金箱。
【考案の詳細な説明】
【技術分野】
【０００１】
本考案は、簡単な構造で、投入硬貨を分別して貯える貯金箱に関するものである。
【背景技術】
【０００２】
従来、我が国で使用されている硬貨は、１円硬貨、５円硬貨、１０円硬貨、５０円硬貨、１００円硬貨の５種類の小径硬貨と、５００円硬貨の１種類の大径硬貨であり、日常生活にあって欠かせぬ存在となっている。また、消費税の確立後は、つり銭に端数が発生する機会が多くなり、以前に増して、硬貨の使用頻度が高くなっている。
【０００３】
そこで、財布や洋服のポケット等に貯まった硬貨を貯金する道具として、６種類の硬貨を１つの硬貨収納室に投入落下させて貯蓄できる貯金箱や、硬貨などのコインをその外径ごとに自動的に篩い分けるための選別機構として、コインを転がすコイン通路の側壁にコインサイズに応じて開口大きさの異なる倒れ込み孔を並設した「振り落とし方式」を採用している貯金箱（特許文献１、特許文献２等参照）や、コインを入れるとそのコインの外径から、額を自動的に判別し、貯金額を音声で知らせるようにした貯金箱（例えば特許文献３等参照）等が提案されている。
【特許文献１】実開昭５２−５４６８３号公報
【特許文献２】実開昭５７−１９８６７１号公報
【特許文献３】実開平６−３１５２１号公報
【考案の開示】
【考案が解決しようとする課題】
【０００４】
ところで、通常貯金箱に硬貨を入れて貯金する場合、財布やポケットに入っている硬貨をそのまま貯金箱に投入するのが一般的であるが、そのように各種の硬貨を投入しながらも、高額の貯金をするため特に５００円硬貨を集中的に貯めたいという場合がある。
【０００５】
そのような場合、従来の通常の貯金箱であると、各種の硬貨が一緒に混在してしまい、貯まったときに５００円硬貨のみを選り分けるのが面倒であると共に５００円硬貨がどの程度貯まっているのか不明であり、貯金箱を開けてみるとあまり貯まっていないこともあり得る。
【０００６】
また、上述の各種硬貨を選別しながら硬貨ごとに異なる収納室に貯める貯金箱の場合、それぞれの硬貨に対して収納室を形成することから、貯金箱中における５００円硬貨の収納スペースは必然的に小さくならざるを得ず、結果的に多くの５００円硬貨を貯金することができないという問題がある。
【０００７】
さらにまた、そのような各種硬貨の選別機構を持たせることで貯金箱が高価なものになってしまうという問題がある。
【０００８】
本考案は、かかる事情に鑑みて、簡単な構造で安価に作成でき、また、貯えた硬貨の合計額を上げることができる、特に５００円硬貨を他の硬貨と分別して多く貯めることができる貯金箱を提供することを目的とする。
【課題を解決するための手段】
【０００９】
本考案の貯金箱は、５００円硬貨と１００円硬貨、５０円硬貨、１０円硬貨、５円硬貨および１円硬貨とを分別して貯える貯金箱であって、
貯金箱本体と、
幅Ｗｂが５００円硬貨の直径よりも大きく、高さＨｂが５００円硬貨の厚さよりも大きい断面を有する大径硬貨通路空間と、該大径硬貨通路空間の底面に連接して該大径硬貨通路空間の下方に形成された、幅Ｗｓが５００円硬貨の直径よりも小さく１０円硬貨の直径よりも大きい断面を有する溝状の小径硬貨通路空間とを有し、一端側に開口する硬貨投入口を上方に、他端側に開口する硬貨排出口を下方に位置させて全体を斜めにし、前記硬貨投入口を前記貯金箱本体の外側に位置させ、前記硬貨排出口を前記貯金箱本体の内部に位置させて前記貯金箱本体に取り付けられた筒状の硬貨案内体と、
前記貯金箱本体を大径硬貨収容室と小径硬貨収容室とに区画する区画壁とを備え、
前記硬貨排出口のうち、前記大径硬貨通路空間に対応する大径硬貨排出口は前記大径硬貨収容室に位置し、前記小径硬貨通路空間に対応する小径硬貨排出口は前記小径硬貨収容室に位置していることを特徴とするものである。
【００１０】
前記貯金箱においては、前記小径硬貨通路空間が、前記大径硬貨通路空間の幅方向からそれぞれ所定長Ｌだけ内側に入った位置に形成されている構成とすることができる。
【００１１】
また、前記貯金箱においては、前記所定長Ｌが１円硬貨の半径の１／２より小さく、前記所定長Ｌと前記小径硬貨通路空間の幅Ｗｓとの和が５００円硬貨の直径より小さい構成とすることができる。
【００１２】
さらに、前記貯金箱においては、前記硬貨案内体のうち前記大径硬貨通路空間を形成する大径硬貨通路空間形成部の方が前記小径硬貨通路空間を形成する小径硬貨通路空間形成部よりも前記貯金箱本体内により長く延びており、前記区画壁が前記貯金箱本体の内部の上方に前記小径硬貨収容室を、下方に前記大径硬貨収容室を区画して形成するものであり、前記大径硬貨通路空間形成部に形成された前記大径硬貨排出口が前記大径硬貨収容室に位置し、前記小径硬貨通路空間形成部に形成された前記小径硬貨排出口が前記小径硬貨収容室に位置し、該小径硬貨収容室には開閉可能な硬貨取出口が形成されている構成とすることができる。
【００１３】
本考案の他の貯金箱は、５００円硬貨と１００円硬貨、５０円硬貨、１０円硬貨、５円硬貨および１円硬貨とを分別して貯える貯金箱であって、
貯金箱本体と、
幅Ｗｂが５００円硬貨の直径よりも大きく、高さＨｂが５００円硬貨の厚さよりも大きい断面を有する大径硬貨通路空間を有し、底壁の幅方向両端からそれぞれ所定長Ｌだけ内側に入った領域に幅Ｗｏが５００円硬貨の直径よりも小さく１０円硬貨の直径よりも大きい前記筒状体の長手方向に所定長延びた小径硬貨落下開口が形成され、一端側に開口する硬貨投入口を上方に、他端側に開口する硬貨排出口を下方に位置させて全体を斜めにし、前記硬貨投入口を前記貯金箱本体の外側に位置させ、前記硬貨排出口を前記貯金箱本体の内部に位置させて該貯金箱本体に取り付けられた筒状の硬貨案内体と、
前記貯金箱本体内を下方の大径硬貨収容室と上方の小径硬貨収容室とに区画する区画壁とを備え、
前記硬貨排出口は前記大径硬貨収容室に位置し、前記小径硬貨落下開口は前記小径硬貨収容室に位置していることを特徴とするものである。
【００１４】
前記貯金箱においては、前記所定長Ｌが１円硬貨の半径の１／２より小さく、前記所定長Ｌと前記小径硬貨落下開口の幅Ｗｏとの和が５００円硬貨の直径より小さい構成とすることができる。
【００１５】
ここで、本考案では、大径硬貨とは日本円の５００円硬貨のことを示し、小径硬貨とは日本円の１円硬貨、５円硬貨、１０円硬貨、５０円硬貨、１００円硬貨のことを示すものである。
【００１６】
前記小径硬貨通路空間が「大径硬貨通路空間の底面に連接」とは、大径硬貨通路空間と小径硬貨通路空間とが空間的に連続している（間に仕切りがない）ことを意味している。ただし、大径硬貨通路空間と小径硬貨通路空間とは必ずしも一方の全長に亘って連接している必要はなく、通路内を硬貨が滑り落ちる際に大径硬貨と小径硬貨とに分別され得る距離だけ連接していれば良く、そうであれば両空間の間の一部に仕切壁が存在していても構わない。
【００１７】
また、前記大径硬貨排出口および小径硬貨排出口はそれぞれ大径硬貨通路空間および小径硬貨通路空間を滑り落ちてきた硬貨が排出される開口であればその形状、大きさ、硬貨案内体における位置等どのようなものでも良く、それらの開口が大径硬貨収容室および小径硬貨収容室に位置しているとは、それらの開口から排出された硬貨がそれぞれ大径硬貨収容室および小径硬貨収容室内に落下する位置に存在していることを意味し、厳密な意味でそれぞれの硬貨収容室内に位置していることを意味するものではない。
【００１８】
また、硬貨案内体の「硬貨投入口を貯金箱本体の外側に位置させ」も、硬貨投入口が貯金箱本体の外側から硬貨投入口に硬貨を投入可能な位置に設けられていれば良く、厳密な意味で貯金箱本体の外側に位置していることを意味するものではない。
【考案の効果】
【００１９】
本考案の貯金箱によれば、上述の大径硬貨通路空間とその下に連接した小径硬貨通路空間とを有する筒状の硬貨案内体、あるいは大径硬貨通路空間を有すると共に底壁に小径硬貨落下開口を有する筒状の硬貨案内体を備え、この硬貨案内体に形成された大径硬貨排出口を区画壁で区画された大径硬貨収容室へ、小径硬貨排出口あるいは小径硬貨落下開口を小径硬貨収容室へ位置させたので、貯金箱に各種硬貨を無造作に投入しても、５００円硬貨とそれ以外の硬貨とは上記硬貨案内体内を滑り落ちる際に分別されてそれぞれの収容室に収容され、５００円硬貨を他の硬貨と混在させること無く貯めることができ、貯まった後に５００円硬貨を分別する必要が無く、しかも、５００円硬貨は大径硬貨収容室にのみ収容されるので、貯金箱を傾けたり振ったりすることにより大径硬貨収容室に５００円硬貨がどの程度貯まっているかを概略知ることができる。
【００２０】
また、貯金箱は５００円硬貨用の大径硬貨収容室とそれ以外の硬貨用の小径硬貨収容室の２つの収納室にのみ区画されるので、従来のそれぞれの硬貨ごとに収納室を形成していたものに比して、５００円硬貨用の収納室を大きくとることができ、多くの５００円硬貨を貯めることができる。
【００２１】
さらに、硬貨の分別も上述の簡単な構成の硬貨案内体により行うので、貯金箱全体の構成が簡単であり、安価に作成することができる。
【考案を実施するための最良の形態】
【００２２】
以下、本考案の実施の形態について説明する。図１は実施形態１の貯金箱の斜視図、図２は図１におけるII−II線断面図、図３は実施形態１の硬貨案内体３の一部破断斜視図、図４は図３におけるIV−IV線断面図である。
【００２３】
図１に示す如く、実施形態１の貯金箱１は、円筒状の側壁１０と、該円筒状の側壁の上開口を塞ぐ上壁１１と、下開口を塞ぐ下璧１２（図２参照）とからなる貯金箱本体１３を備えている。図２に示す如く、この貯金箱本体１３には、貯金箱本体１３の内部を、大径硬貨を収容する大径硬貨収容室２１を下方に、小径硬貨を収容する小径硬貨収容室２２を上方に区画して形成する区画壁２が、大径硬貨収容室２１が小径硬貨収容室２２よりも大きくなるようにして、斜めに固設されている。
【００２４】
また、貯金箱本体１３には、小径硬貨収容室２２側の区画壁２の下端に近い位置に、着脱自在なプラスチックあるいはゴム等からなる蓋１４により開閉可能とされた硬貨取出口４が形成されている。
【００２５】
貯金箱本体１３には、一端側に硬貨を投入する硬貨投入口３０１が、他端側に硬貨を排出する硬貨排出口３０２が開口した筒状の硬貨案内体３が固設されている。
【００２６】
この硬貨案内体３は、硬貨投入口３０１を上方に、硬貨排出口３０２を下方にし、硬貨投入口３０１を貯金箱本体の上壁１１を貫通して貯金箱本体１３の外側に位置させ、硬貨排出口３０２を貯金箱本体の内部に位置させて、かつ、全体を斜めにして、貯金箱本体１３に固設されている。
【００２７】
この硬貨案内体３は、幅Ｗｂが５００円硬貨の直径よりも大きく、高さＨｂが５００円硬貨の厚さよりも大きい断面を有する直方体状の大径硬貨通路空間３１と、この大径硬貨通路空間３１の底面に連接して、この大径硬貨通路空間３１の下方に形成された、幅Ｗｓが５００円硬貨の直径よりも小さく、かつ１０円硬貨の直径よりも大きい断面を有する直方体状の溝状の、即ち大径硬貨通路空間３１の下面から下側に突出した状態の小径硬貨通路空間３２とを有している。
【００２８】
小径硬貨通路空間３２は、大径硬貨通路空間３１の幅方向両端からそれぞれ所定長Ｌだけ内側に入った位置に形成されている。この所定長Ｌは、１円硬貨（小径硬貨のうち一番直径が小さい硬貨）の直径の半分よりも短い長さとされている。左右のＬは異なる長さであっても良い。また、この所定長Ｌと小径硬貨通路空間３２の幅Ｗｓとの和（Ｌ＋Ｗｓ）は５００円硬貨の直径より小さくなるように設定されている。
【００２９】
硬貨案内体３のうち、大径硬貨通路空間３１を形成する大径硬貨通路空間形成部３３は、小径硬貨通路空間３２を形成する小径効果通路空間形成部３４よりも貯金箱本体１３内において長く延びており、大径硬貨通路空間３１に対応する硬貨排出口、即ち大径硬貨通路空間形成部３３の他端に開口した大径硬貨排出口３１２は区画壁２を貫通して大径硬貨収容室２１内に位置し、小径硬貨通路空間３２に対応する硬貨排出口、即ち小径硬貨通路空間形成部３４の他端に開口した小径硬貨排出口３２２は小径硬貨収容室２２内に位置している。
【００３０】
なお、本実施形態では大径硬貨通路空間形成部３３のうち、小径硬貨通路空間形成部３４よりも先方に（下方に）延びた部分は、全周を取り囲む完全な筒状となっており、図４に示されているように、小径硬貨通路空間３２の高さＨｓは小径硬貨排出口３２２の高さＨｓｏよりも大径硬貨通路空間形成部３３の板厚ｔだけ大きくなっている。また、小径硬貨排出口３２２の高さＨｓｏは５０円硬貨（１円硬貨、５円硬貨、１０円硬貨、５０円硬貨および１００円硬貨のうち最も厚い硬貨）の厚さよりも大きく設定されている（Ｈｓ＝Ｈｓｏ＋ｔ）。
【００３１】
なお、硬貨案内体３の貯金箱本体上壁１１から上方に突出している部分には、打出の小槌もしくは大黒様等のマスコット１４を取り付けることができる。
【００３２】
次に実施形態１の貯金箱１における作用について説明する。
【００３３】
硬貨投入口３０１に投入された硬貨は、硬貨案内体３の内部で、５００円硬貨（以下、「大径硬貨」ともいう）と１００円硬貨、５０円硬貨、１０円硬貨、５円硬貨および１円硬貨（以下、「小径硬貨」ともいう）に分別される。
【００３４】
まず、大径硬貨を硬貨投入口３０１（硬貨投入口３０１のうち大径硬貨通路空間３１に対応する部分）に投入すると、大径硬貨は、自重により大径硬貨通路空間３１を滑り落ち、大径硬貨排出口３１２から排出されて大径硬貨収容室２１に収容される。このとき、大径硬貨通路空間３１の底面に連接して形成されている小径硬貨通路空間３２の幅Ｗｓは大径硬貨の直径よりも小さいので、投入された大径硬貨は小径硬貨通路空間３２に入らない。
【００３５】
また、小径硬貨を硬貨投入口３０１（硬貨投入口３０１のうち小径硬貨通路空間３２に対応する部分）に投入すると、小径硬貨は、自重により小径硬貨通路空間３２を滑り落ち、小径硬貨排出口３２２から排出されて小径硬貨収容室２２に収容される。このとき、大径硬貨通路空間３１の底面には小径硬貨通路空間３２が連接しており、仮に小径硬貨が硬貨投入口３０１のうち大径硬貨通路空間３１に対応する部分に投入されて最初大径硬貨通路空間３１に位置していても、上述のＬが小径硬貨のうち一番直径が小さい硬貨の直径の半分以下とされているので、下方に向かうに従って、小径硬貨通路空間３２に落下して該小径硬貨通路空間３２を滑り落ち小径硬貨収容室２２に収容される。
【００３６】
なお、そのように小径硬貨が下方に向かうに従って小径硬貨通路空間３２に落下することを確実にするため、上述のＬは５ｍｍ以下であることが望ましく、２〜３ｍｍであることがより好ましい。
【００３７】
このようにして、投入された硬貨は大径硬貨と小径硬貨に分別されて、それぞれ大径硬貨収容室２１、小径硬貨収容室２２に収容される。ここで大径硬貨収容室２１は小径硬貨収容室２２よりも大きくなるように形成されているので、大径硬貨を多く収容できることにより、貯えた硬貨の合計額を高くできる。また、区画壁２は大径硬貨収容室２１を下方に、小径硬貨収容室２２を上方に区画して形成しているので、貯えられた大径硬貨の重みが区画壁２にかからない。
【００３８】
小径硬貨が収容された小径硬貨収容室２２には開閉可能な硬貨取出口４が形成されているので、随時小径硬貨収容室２２から蓄えられた小径硬貨を取り出すことができ、貯金箱としては小径硬貨の投入量とは無関係に大径硬貨収容室２１に大径硬貨が一杯になるまで貯めることができるので、各種硬貨を投入可能でありながら、大径硬貨（５００円硬貨）だけを選別された状態で効果的に蓄えることができる。なお、小径硬貨を取り出す際には、区画壁２が斜めに固設されているので、硬貨取出口４の近くに小径硬貨が移動することにより、小径硬貨の取出しが容易である。
【００３９】
大径硬貨収容室２１が一杯になると、この貯金箱１での貯金が終了する。貯金した大径硬貨を取り出すときには、貯金箱本体１３をハンマーもしくは金づち等で割って、内部の硬貨を取り出す。
【００４０】
次に、本考案における他の実施形態について説明する。
【００４１】
図５は実施形態２の貯金箱の断面図、図６は実施形態２の硬貨案内体３の一部破断斜視図である。実施形態２は、基本的な構成は実施形態１と同様であり、ただ、硬貨案内体３の構成、大径硬貨収容室２１と小径硬貨収容室２２の位置および硬貨取出口４の位置が実施形態１と異なるので、以下、それらについて説明する。
【００４２】
図５、図６に示す如く、実施形態２では、区画壁２は、貯金箱本体１３の内部の上方に大径硬貨収容室２１を、下方に小径硬貨収容室２２を区画して形成し、かつ水平に固設されている。
【００４３】
また、着脱自在なプラスチックあるいはゴム等からなる蓋１４により開閉可能とされた硬貨取出口４が貯金箱本体の下壁１２（小径硬貨収容室２２）に設けられている。
【００４４】
硬貨案内体３は、基本的に実施形態１の硬貨案内体３と同様に構成されており、ただ、大径硬貨通路空間３１を形成する大径硬貨通路空間形成部３３よりも小径硬貨通路空間３２を形成する小径硬貨通路空間形成部３４の方が、貯金箱本体１３の内部により長く延びており、この小径硬貨通路空間形成部３４のうち大径硬貨通路空間形成部３３よりも長く延びている部分は全周を取り囲む完全な筒状になっている点が実施形態１の硬貨案内体３とは異なる。
【００４５】
この硬貨案内体３の大径硬貨通路空間形成部３３の他端に形成された大径硬貨を排出する大径硬貨排出口３１２は大径硬貨収容室２１の内部に、小径硬貨通路空間形成部３４の他端に形成された小径硬貨を排出する小径硬貨排出口３２２は小径硬貨収容室２２の内部にそれぞれ位置している。
【００４６】
次に、本考案の実施形態３について説明する。図７は実施形態３の貯金箱の断面図、図８は実施形態３の硬貨案内体３の斜視図である。
【００４７】
本実施形態３は、硬貨案内体３の構成を除き、実施形態１と同様に構成されているので、以下、硬貨案内体３の構成についてのみ説明する。
【００４８】
本実施形態３の硬貨案内体３は、一端側に硬貨を投入する硬貨投入口３０１が、他端側に硬貨を排出する硬貨排出口３０２が開口した筒状体からなり、硬貨投入口３０１を上方にして貯金箱本体１３の外側に、硬貨排出口３０２を下方にして貯金箱本体１３の内部に位置させ、全体を斜めにして貯金箱本体１３に固設されている。
【００４９】
図８に示す如く、この硬貨案内体３は内部に幅Ｗｂが５００円硬貨の直径よりも大きく、高さＨｂが５００円硬貨の厚さよりも大きい直方体の大径硬貨通路空間３１を有し、底壁３１Ａには小径硬貨落下開口３０３が形成されている。この小径硬貨落下開口３０３は、５００円硬貨の直径よりも小さく１０円硬貨の直径よりも大きい幅Ｗｏを有し、硬貨案内体の底壁３１Ａの幅方向両端からそれぞれ所定長Ｌだけ内側に入った領域に、硬貨案内体３の長手方向に所定長延びて形成されている。この所定長Ｌは１円硬貨の直径の１／２より小さく、かつ所定長Ｌと小径硬貨落下開口の幅Ｗｏとの和は５００円硬貨の直径より小さくなるように設定されている。
【００５０】
この硬貨案内体３の硬貨排出口３０２は区画壁２により区画された大径硬貨収容室２１内に位置し、小径硬貨落下開口３０３は小径硬貨収容室２２内に位置している。
【００５１】
このような構成により、硬貨投入口３０１から投入された硬貨は、それが大径硬貨である場合大径硬貨通路空間３１をそのまま滑り落ちて硬貨排出口３０２から大径硬貨収容室２１に収容されると共に、小径硬貨が投入された場合には小径硬貨はすべり落ちる途中で小径硬貨落下開口３０３から落下して小径硬貨収容室２２に収容される。
【００５２】
本考案では、貯金箱本体１３は断面円形のものに限らず、種々の形状のものを使用できる。
【００５３】
また、大径硬貨通路空間３１に対応する大径硬貨排出口３１２は、大径硬貨通路空間３１に連通して該通路空間３１を滑り落ちてきた大径硬貨を大径硬貨収容室２１内に排出可能なものであればよく、たとえば、実施形態１において、大径硬貨通路空間形成部３３の底壁に形成した大径硬貨が落下可能な図３中に二点鎖線で示すような開口３１３であっても良い。この場合大径硬貨通路空間形成部３３のうち上記開口３１３が形成されている部分を図２において区画壁２の下方に突出させて、上記開口３１３を大径硬貨収容室２１内に位置させれば良い。
【００５４】
また、小径硬貨通路空間３２に対応する小径硬貨排出口３２２は、小径硬貨通路空間３２に連通して該通路空間３２を滑り落ちてきた小径硬貨を小径硬貨収容室２２内に排出可能なものであればよく、たとえば、実施形態２において、小径硬貨通路空間形成部３４の底壁に形成した小径硬貨が落下可能な図６中に二点鎖線で示すような開口３２３であっても良い。この場合も小径硬貨通路空間形成部３４のうち上記開口３２３が形成されている部分を図５において区画壁２の下方に突出させて、上記開口３２３を小径硬貨収容室２２内に位置させれば良い。
【００５５】
区画壁２は、斜めではなく水平に固設してもよいし、どのような形態であっても貯金箱本体１３内を大径硬貨収容室２１と小径硬貨収容室２２とに区画するものであれば良い。
【００５６】
また、開閉可能な硬貨取出口４は小径硬貨収容室２２に収容された小径硬貨が取り出せれば、例えば、貯金箱本体１３の上面に設けてもよい。なお本実施形態では小径硬貨収容室２２のみに硬貨取出口４を設けたが、貯金箱を壊さずに何度も使えるように、大径硬貨収容室２１に開閉可能な硬貨取出口を設けてもよい。
【００５７】
また、本考案は日本円を貯えるための貯金箱であるが、寸法を変更すれば、例えば外国硬貨やコイン等を貯えるための貯金箱としても使用することができる。
【図面の簡単な説明】
【００５８】
【図１】本考案の実施形態１の貯金箱の斜視図。
【図２】図１におけるII−II線断面図。
【図３】実施形態１の硬貨案内体の一部破断斜視図。
【図４】図３におけるIV−IV線断面図。
【図５】実施形態２の貯金箱の断面図。
【図６】実施形態２の硬貨案内体の一部破断斜視図。
【図７】実施形態３の貯金箱の断面図。
【図８】実施形態３の硬貨案内体の斜視図。
【符号の説明】
【００５９】
１      貯金箱
２      区画壁
３      硬貨案内体
４      硬貨取出口
１３    貯金箱本体
２１    大径硬貨収容室
２２    小径硬貨収容室
３１    大径硬貨通路空間
３２    小径硬貨通路空間
３３    大径硬貨通路空間形成部
３４    小径硬貨通路空間形成部
３０１  硬貨投入口
３０２  硬貨排出口
３１２  大径硬貨排出口
３２２  小径硬貨排出口
【図１】
0003109488.tif 000003
【図２】
0003109488.tif 000004
【図３】
0003109488.tif 000005
【図４】
0003109488.tif 000006
【図５】
0003109488.tif 000007
【図６】
0003109488.tif 000008
【図７】
0003109488.tif 000009
【図８】
0003109488.tif 000010